(57)【特許請求の範囲】
【請求項１】
網側からの１本以上の電話回線に接続されるとともにアナログ電話機としてファクシミリ装置を接続する主装置と、この主装置に接続されるボタン電話機とからなるボタン電話装置であって、
前記主装置は、
前記ファクシミリ装置への着信がファクシミリ通信呼以外の場合にそのファクシミリ装置を経由して外付けの電話機で通話を行うために用いる接続回線を収容する接続回線インターフェース部と、
前記電話回線および前記接続回線のいずれかと前記ボタン電話機とを交換接続するとともに、前記電話回線とファクシミリ装置とを交換接続するスイッチと、このスイッチを制御することにより、前記ファクシミリ装置での前記電話回線を用いたファクシミリ通信と前記ボタン電話機での前記電話回線を用いた通話とをそれぞれ形成する制御部とを備え、
この制御部は、網側から前記電話回線への一次着信に応じて前記ファクシミリ装置を呼び出すことにより、そのファクシミリ装置により前記一次着信に対するファクシミリ通信であるか否かを判定させ、その判定結果を前記ファクシミリ装置からの二次着信がある前記接続回線の状態に基づき検出し、その検出結果に応じて前記スイッチを制御することを特徴とするボタン電話装置。
【請求項２】
請求項１記載のボタン電話装置において、
前記制御部は、前記接続回線への二次着信に応じて前記ボタン電話機へ前記接続回線への着信発生を通知し、この着信に対する前記ボタン電話機での応答に応じてその応答ボタン電話機と前記接続回線とを接続するとともに、前記ファクシミリ装置でのファクシミリ通信判定に要する期間の経過を計時するための切断タイマを起動し、この切断タイマのタイムアップ以前に前記ボタン電話機での終話が検出された場合は、前記一次着信がファクシミリ通信呼であると判断し、前記接続回線を解放して前記ファクシミリ装置でのファクシミリ通信へ移行することを特徴とするボタン電話装置。
【請求項３】
請求項１記載のボタン電話装置において、
前記制御部は、前記接続回線への二次着信に応じて前記ボタン電話機へ前記接続回線への着信発生を通知し、この着信に対する前記ボタン電話機での応答に応じてその応答ボタン電話機と前記接続回線とを接続するとともに、前記ファクシミリ装置でのファクシミリ通信判定に要する期間の経過を計時するための切断タイマを起動し、この切断タイマのタイムアップ以前に前記接続回線の切断が検出された場合は、前記一次着信がファクシミリ通信呼であると判断し、前記接続回線を解放して前記ファクシミリ装置でのファクシミリ通信へ移行することを特徴とするボタン電話装置。
【請求項４】
請求項１記載のボタン電話装置において、
前記制御部は、前記接続回線への二次着信に応じて前記ボタン電話機へ前記接続回線への着信発生を通知し、この着信に対する前記ボタン電話機での応答に応じてその応答ボタン電話機と前記接続回線とを接続するとともに、前記ファクシミリ装置でのファクシミリ通信判定に要する期間の経過を計時するための切断タイマを起動し、前記ファクシミリ装置を経由した前記応答ボタン電話機による前記電話回線での通話状態で切断タイマのタイムアップが検出された場合は、前記一次着信が通話呼であると判断して、前記一次着信のあった電話回線を前記ファクシミリ装置から前記応答ボタン電話機へ切替接続することにより、前記ファクシミリを経由しない前記応答ボタン電話機による前記電話回線での通話へ移行することを特徴とするボタン電話装置。
【請求項５】
請求項１記載のボタン電話装置において、
前記制御部は、前記接続回線への二次着信に応じて前記一次着信が通話呼であると判断して、前記ボタン電話機へ前記接続回線への着信発生を通知し、この着信に対する前記ボタン電話機での応答に応じて、前記一次着信のあった電話回線を前記ファクシミリ装置からその応答ボタン電話機へ切替接続することにより、前記ファクシミリを経由しない前記ボタン電話機による前記電話回線での通話へ移行することを特徴とするボタン電話装置。
【請求項６】
請求項１記載のボタン電話装置において、
前記制御部は、前記接続回線への二次着信に応じて前記一次着信が通話呼であると判断して、前記ボタン電話機へ前記接続回線への着信発生を通知し、この着信に対する前記ボタン電話機での応答に応じて、前記接続回線とその応答ボタン電話機とを接続することにより、前記ファクシミリを経由した前記応答ボタン電話機による前記電話回線での通話へ移行することを特徴とするボタン電話装置。
【請求項７】
請求項１記載のボタン電話装置において、
前記制御部は、前記接続回線への二次着信に応じて前記一次着信が通話呼であると判断して、前記ボタン電話機へ前記接続回線への着信発生を通知するとともに、前記一次着信のあった電話回線から前記ファクシミリ装置を切断して主装置でその電話回線を保持し、この着信に対する前記ボタン電話機での応答に応じて、保持している前記電話回線とその応答ボタン電話機とを接続することにより、前記ファクシミリを経由しない前記応答ボタン電話機による前記電話回線での通話へ移行することを特徴とするボタン電話装置。
【請求項８】
請求項１記載のボタン電話装置において、
前記制御部は、前記電話回線のいずれかを用いて通話中のボタン電話機からファクシミリ転送要求があった場合、その後の前記ボタン電話機による終話に応じて、その電話回線から前記ボタン電話機を切断してその電話回線を主装置で保持するとともに前記ファクシミリ装置を呼び出し、この呼出に応じた前記ファクシミリ装置からの前記接続回線への二次着信を無視し、前記ファクシミリ装置でのファクシミリ通信へ移行することを特徴とするボタン電話装置。
【請求項９】
請求項５または７記載のボタン電話装置において、
前記制御部は、前記接続回線への二次着信に応じて、前記各ボタン電話機の前記一次着信のあった電話回線に対応するランプを用いて、その電話回線に対する網側からの着信時と同一の着信表示を行うことを特徴とするボタン電話装置。
【発明の詳細な説明】
【０００１】
【発明の属する技術分野】
本発明は、ボタン電話装置に関し、特に主装置に接続したファクシミリ装置とボタン電話機とで電話回線を共用するボタン電話装置に関するものである。
【０００２】
【従来の技術】
ファクシミリ通信の普及に伴って、オフィスや店舗さらには一般家庭でもファクシミリ装置が使用される場合が増加している。また、ＩＳＤＮ通信網などの普及に伴って複数の電話回線が容易に利用できる環境が整いつつあり、これら回線を効率よく利用するためにボタン電話装置の導入も進んでいる。このようなファクシミリ装置とボタン電話装置とを利用する場合、これら装置間で同じ電話回線を共用したいという要求がある。
【０００３】
このような要求を実現する方法として、ファクシミリ装置をボタン電話装置のアナログ電話機（子機）と見なし、ボタン電話装置からファクシミリ装置を制御する方法がいくつか考えられる。
【０００４】
その１つとして、ボタン電話装置でファクシミリ通信専用の外線を設定しておき、そのファクシミリ通信専用の外線への着信については、ボタン電話機に対してその着信を通知せずにファクシミリ装置のみを呼び出し、ファクシミリ装置の自動応答に応じてその外線を捕捉してファクシミリ装置と接続する方法がある。これにより、ファクシミリ通信特有のＣＮＧ（Calling Tone：1100Hz）信号を検出するファクシミリ装置のＣＮＧ信号検出手段でファクシミリ通信か否か判断され、ファクシミリ通信以外の場合は、そのファクシミリ装置の通話機能により通話するものとなる。
【０００５】
また他の方法として、ボタン電話装置にファクシミリ通信を検出するためのＣＮＧ信号検出手段を設けて、ボタン電話装置でファクシミリ通信を区別する方法がある。これにより、上記と同様にして設定したファクシミリ通信専用の外線への着信についてはボタン電話装置で自動応答し、そのＣＮＧ信号検出手段によりファクシミリ通信が検出された場合は、ファクシミリ装置のみを呼び出して接続し、それ以外の場合はボタン電話機を呼び出すものとなる。
【０００６】
【発明が解決しようとする課題】
しかしながら、このような従来のボタン電話装置では、前者によれば、ファクシミリ通信専用の外線への着信については、ボタン電話機で応答できず、ボタン電話装置にファクシミリ装置を接続しているにもかかわらず、電話回線が有効利用されていないという問題点があった。
また後者によれば、ボタン電話装置にファクシミリ通信を検出するためのＣＮＧ信号検出手段、すなわちファクシミリ通信専用の高価な回路構成をファクシミリ通信の検出だけを目的として設ける必要があり、ボタン電話装置全体のコストパフォーマンスが低下するという問題点があった。
【０００７】
本発明はこのような課題を解決するためのものであり、新たな回路構成を追加することなくファクシミリ装置と間で電話回線を効率よく共用でき、利用者が容易に利用できる使い勝手のよいボタン電話装置を提供することを目的としている。
【０００８】
【課題を解決するための手段】
このような目的を達成するために、本発明にかかるボタン電話装置は、主装置に、ファクシミリ装置への着信がファクシミリ通信呼以外の場合にそのファクシミリ装置を経由して外付けの電話機で通話を行うために用いる接続回線を収容する接続回線インターフェース部と、電話回線および接続回線のいずれかとボタン電話機とを交換接続するとともに、電話回線とファクシミリ装置とを交換接続するスイッチと、このスイッチを制御することにより、ファクシミリ装置での電話回線を用いたファクシミリ通信とボタン電話機での電話回線を用いた通話とをそれぞれ形成する制御部とを備え、制御部で、網側から電話回線への一次着信に応じてファクシミリ装置を呼び出すことにより、そのファクシミリ装置により一次着信に対するファクシミリ通信であるか否かを判定させ、ファクシミリ装置からの二次着信がある接続回線の状態に基づき検出し、その検出結果に応じてスイッチを制御するようにしたものである。
【０００９】
ここで、着信検出に応じて接続回線に接続された主装置を呼び出し、この呼び出しに対する応答検出に応じてＣＮＧ信号の検出を開始するという第１のＦＡＸ応答処理手順を持つファクシミリ装置を用いる場合については、制御部で、接続回線への二次着信に応じてボタン電話機へ接続回線への着信発生を通知し、この着信に対するボタン電話機での応答に応じてその応答ボタン電話機と接続回線とを接続するとともに、ファクシミリ装置でのファクシミリ通信判定に要する期間の経過を計時するための切断タイマを起動し、この切断タイマのタイムアップ以前にボタン電話機での終話が検出された場合は、一次着信がファクシミリ通信呼であると判断し、接続回線を解放してファクシミリ装置でのファクシミリ通信へ移行するようにしてもよい。
【００１０】
また、第１のＦＡＸ応答処理手順を持つファクシミリ装置を用いる場合、制御部で、接続回線への二次着信に応じてボタン電話機へ接続回線への着信発生を通知し、この着信に対するボタン電話機での応答に応じてその応答ボタン電話機と接続回線とを接続するとともに、ファクシミリ装置でのファクシミリ通信判定に要する期間の経過を計時するための切断タイマを起動し、この切断タイマのタイムアップ以前に接続回線の終話が検出された場合は、一次着信がファクシミリ通信呼であると判断し、接続回線を解放してファクシミリ装置でのファクシミリ通信へ移行するようにしてもよい。
【００１１】
このほか、第１のＦＡＸ応答処理手順を持つファクシミリ装置を用いる場合、制御部で、接続回線への二次着信に応じてボタン電話機へ接続回線への着信発生を通知し、この着信に対するボタン電話機での応答に応じてその応答ボタン電話機と接続回線とを接続するとともに、ファクシミリ装置でのファクシミリ通信判定に要する期間の経過を計時するための切断タイマを起動し、ファクシミリ装置を経由した応答ボタン電話機による電話回線での通話状態で切断タイマのタイムアップが検出された場合は、一次着信が通話呼であると判断して、一次着信のあった電話回線をファクシミリ装置から応答ボタン電話機へ切替接続することにより、ファクシミリを経由しない応答ボタン電話機による電話回線での通話へ移行するようにしてもよい。
【００１２】
一方、着信検出に応じて自動応答してＣＮＧ信号の検出を開始し、ＣＮＧ信号が検出されなかった場合にのみ接続回線に接続された主装置を呼び出すという第２のＦＡＸ応答処理手順を持つファクシミリ装置を用いる場合については、制御部で、接続回線への二次着信に応じて一次着信が通話呼であると判断して、ボタン電話機へ接続回線への着信発生を通知し、この着信に対するボタン電話機での応答に応じて、一次着信のあった電話回線をファクシミリ装置からその応答ボタン電話機へ切替接続することにより、ファクシミリを経由しないボタン電話機による電話回線での通話へ移行するようにしてもよい。
【００１３】
また、第２のＦＡＸ応答処理手順を持つファクシミリ装置を用いる場合、制御部で、接続回線への二次着信に応じて一次着信が通話呼であると判断して、ボタン電話機へ接続回線への着信発生を通知し、この着信に対するボタン電話機での応答に応じて、接続回線とその応答ボタン電話機とを接続することにより、ファクシミリを経由した応答ボタン電話機による電話回線での通話へ移行するようにしてもよい。
【００１４】
このほか、第２のＦＡＸ応答処理手順を持つファクシミリ装置を用いる場合、制御部で、接続回線への二次着信に応じて一次着信が通話呼であると判断して、ボタン電話機へ接続回線への着信発生を通知するとともに、一次着信のあった電話回線からファクシミリ装置を切断して主装置でその電話回線を保持し、この着信に対するボタン電話機での応答に応じて、保持している電話回線とその応答ボタン電話機とを接続することにより、ファクシミリを経由しない応答ボタン電話機による電話回線での通話へ移行するようにしてもよい。
【００１５】
また、電話回線のいずれかを用いて通話中のボタン電話機からファクシミリ転送要求があった場合には、制御部で、その後のボタン電話機による終話に応じて、その電話回線からボタン電話機を切断してその電話回線を主装置で保持するとともにファクシミリ装置を呼び出し、この呼出に応じたファクシミリ装置からの接続回線への二次着信を無視し、ファクシミリ装置でのファクシミリ通信へ移行するようにしてもよい。
【００１６】
また、第２のＦＡＸ応答処理手順を持つファクシミリ装置を用いる場合であって、二次着信に対するボタン電話機での応答に応じて、一次着信のあった電話回線とその応答ボタン電話機とを直接接続する場合には、制御部で、接続回線への二次着信に応じて、各ボタン電話機の一次着信のあった電話回線に対応するランプを用いて、その電話回線に対する網側からの着信時と同一の着信表示を行うようにしてもよい。
【００１７】
【発明の実施の形態】
次に、本発明の実施の形態について図面を参照して説明する。
図１は本発明の一実施の形態にかかるボタン電話装置のブロック図である。以下では、網側からの電話回線としてＩＳＤＮ回線が接続されるボタン電話装置に本実施の形態を適用した場合を例として説明する。
このボタン電話装置は、１本以上の電話回線ここではＩＳＤＮ回線１１に接続される主装置１０と、内線伝送路２０を介してこれら主装置１０に接続される複数のボタン電話機（子機）２０Ａ〜２０Ｎから構成されている。また、主装置１０には、内線のアナログ電話機としてファクシミリ装置３０が接続されており、そのファクシミリ装置３０に外付け電話機を接続するための接続回線３５が主装置１０に接続されている。
【００１８】
主装置３０には、外線インターフェース部（以下、外線Ｉ／Ｆ部という）１２、内線インターフェース部（以下、内線Ｉ／Ｆ部という）１３、スイッチ１４、主制御部１５、主記憶部１６、電話機制御部１７、および接続回線インターフェース部（以下、接続回線Ｉ／Ｆ部という）１８が設けられている。
外線Ｉ／Ｆ部１２は、電話網からのＩＳＤＮ回線１１に接続され、網側とデジタルデータ伝送を行い、網側からの各種制御メッセージを主制御部１５へ出力し、音声データをスイッチ１４へ出力する。また、主制御部１５からの各種制御メッセージやスイッチ１４からの音声データを網側へ送信する。
【００１９】
内線Ｉ／Ｆ部１３は、内線伝送路２０を介して各ボタン電話機２０Ａ〜２０Ｎとデータ伝送を行うことにより、音声データや制御データをやり取りする。
電話機制御部１７は、アナログ内線３１を介してファクシミリ装置３０を接続し、ファクシミリ装置３０に対する呼制御や音声データのやり取りを行う。
接続回線Ｉ／Ｆ部１８は、アナログ外線インターフェース部の機能を有し、ファクシミリ装置３０からの接続回線３５を収容し、接続回線３５を介してファクシミリ装置３０側と音声信号をやり取りする。したがって、接続回線Ｉ／Ｆ部１８として一般的なアナログ外線インターフェースを用いることができ、特別な構成を主装置１０に設ける必要はない。
【００２０】
スイッチ（時分割スイッチ）１４では、主制御部１５からの指示に応じて、外線Ｉ／Ｆ部１２や接続回線Ｉ／Ｆ部１８と、内線Ｉ／Ｆ部１３や電話機制御部１７との間で、符号化された音声データをやり取りする。
これにより、ＩＳＤＮ回線１１を用いたボタン電話機２０Ａ〜２０Ｎによる音声通話や、ＩＳＤＮ回線１１を用いたファクシミリ装置３０によるファクシミリ通信を形成する。また、ファクシミリ装置３０および接続回線３５を経由した、ボタン電話機２０Ａ〜２０Ｎによる音声通話を形成する。
【００２１】
主制御部１５は、ＣＰＵから構成され、任意の時間長を計時するタイマ１５Ａを有し、予め主制御部１５や主記憶部１６に格納されている所定のプログラムにより動作して主装置１０の各部を制御する。
主記憶部１６は、必要に応じて主制御部１５で実行するプログラムを予め格納し、また主制御部１５の処理動作に必要な情報を記憶する。処理動作に必要な情報としては、例えばＩＳＤＮ回線１１や接続回線３５の状態、ボタン電話機２０Ａ〜２０Ｎやファクシミリ装置３０の動作状態、短縮電話番号やリダイヤル電話番号などを記憶する。
【００２２】
ボタン電話機２０Ａ〜２０Ｎは、内線伝送路２０を介して主装置１０の内線Ｉ／Ｆ部とそれぞれ個別に接続されている。そして、内線伝送路２０および内線Ｉ／Ｆ部１３を介して主制御部１５と制御データをやり取りすることにより、ボタン電話機各部、例えば各種ランプの表示や呼出音の出力を制御するとともに、ボタン電話機の操作を主制御部１５へ通知する。
また、内線伝送路２０および内線Ｉ／Ｆ部１３を介して外線Ｉ／Ｆ部１２や接続回線Ｉ／Ｆ部１８と音声データをやり取りすることにより、ＩＳＤＮ回線１１のＢ１，Ｂ２を用いた通話や、接続回線３５およびファクシミリ装置３０を介した通話を実現する。
【００２３】
ファクシミリ装置３０には、回線制御部３２、通信部３３および通話制御部３４が設けられている。
回線制御部３２は、アナログ内線３１を介した主装置１０の電話機制御部１７からの着信信号（１６Ｈｚ）により、ファクシミリ装置３０への着信呼び出しを検出する。そして、その呼び出しに応答した後に、網側から到来するＣＮＧ信号の有無を検出することにより、その呼び出しがファクシミリ通信呼か通話呼かを判定する。
【００２４】
通信部３３では、回線制御部３２でＣＮＧ信号が検出されて、その呼び出しがファクシミリ通信呼であると判定された場合に、アナログ内線３１および主装置１０を介してファクシミリ通信を行う。
通話制御部３４では、回線制御部３２からの指示に応じて、接続回線３５を介して外付け電話機、この場合は主装置１０への呼び出しを行う。この呼び出しのタイミングは、後述するＦＡＸ応答処理手順に応じて異なり、回線制御部３２がアナログ内線３１からの着信呼び出しを検出した際や、その着信呼び出しに自動応答した後に網側からのＣＮＧ信号が検出されず、その呼び出しが通話呼であると判定された際などがある。
【００２５】
本実施の形態では、ファクシミリ装置３０が有するファクシミリ通信／通話の判定機能を主装置１０から利用し、その判定結果に応じた通話接続制御を行うようにしたものである。すなわち、所定の電話回線への網側からの一次着信に応じてファクシミリ装置３０を呼び出すことにより、ファクシミリ装置３０で一次着信に対するファクシミリ通信であるか否かを判定させ、その判定結果をファクシミリ装置３０から二次着信がある接続回線３５の状態に基づき検出し、その検出結果に応じてスイッチ１４を制御して、ファクシミリ通信あるいは通話を形成するようにしたものである。
【００２６】
図２にボタン電話機の外観図を示す。ボタン電話機２０Ａ〜２０Ｎには、回線対応ボタンとして、ＩＳＤＮ回線１１のＢ１，Ｂ２チャネルに対応する「外線１ボタン」２１，「外線２ボタン」２２と、接続回線３５に対応する「ＦＡＸボタン」２３とが設けられている。
これらボタンには、それぞれ当該回線の状態を表示するためのランプ（ＬＥＤ）として、「外線１ランプ」２１Ａ、「外線２ランプ」２２Ａ、および「ＦＡＸランプ」２３Ａが設けられている。
【００２７】
また、機能ボタンとして、「リダイヤルボタン」２４、「保留ボタン」２５、および「転送ボタン」２６が設けられている。「転送ボタン」２６は、通話状態からファクシミリ通信への移行を指示するためのボタンである。
これらボタンの他に、ダイヤルキー２７、各種情報を表示するための表示部（ＬＣＤ）２８、ハンドセット２９が設けられている。
【００２８】
次に、図３を参照して、本実施の形態の動作として、網側からＩＳＤＮ回線１１へ一次着信があった場合の動作について説明する。図３は一次着信処理を示すフローチャートである。
任意の発信元からＩＳＤＮ回線１１への呼び出しがあった場合、網側からＩＳＤＮ回線１１のＤチャネルを介して呼設定メッセージが到達する。外線Ｉ／Ｆ部１２では、その呼設定メッセージを受信し主制御部１５へ渡す。
主制御部１５では、その呼設定メッセージを解析し、その呼設定メッセージの着信先電話番号が予めファクシミリ通信用として設定されている電話番号と一致した場合は、図３に示すような一次着信処理を開始する。
【００２９】
主制御部１５では、まず、タイマ１５Ａを用いてファクシミリ装置３０への着信呼び出しを時間管理するための呼出タイマを起動し（ステップ１００）、一般的な着信処理と同様にして、内線Ｉ／Ｆ部１３を介して各ボタン電話機２０Ａ〜２０Ｎへ、着信のあったＢ１チャネルに対応する「外線１ランプ」２１Ａの点滅表示を指示する（ステップ１０１）。
そして、この着信がファクシミリ通信呼かどうかをファクシミリ装置３０で判定させるため、電話機制御部１７を制御してアナログ内線３１へ着信信号（１６Ｈｚ信号）を出力し、ファクシミリ装置３０を着信呼び出しする（ステップ１０２）。
【００３０】
ファクシミリ装置３０の回線制御部３２では、この着信呼び出しに応じて、所定のＦＡＸ応答処理を開始する。一般的なファクシミリ装置のＦＡＸ応答処理は２つの手順に大別できる。
【００３１】
第１のＦＡＸ応答処理手順は、アナログ内線３１への着信に応じて、通話制御部３４から接続回線３５に接続された外付け電話装置、すなわち本実施の形態では主装置１０を呼び出し、この呼び出しに対する応答検出に応じてアナログ内線３１への着信へ応答しＣＮＧ信号を検出する手順である。
第２のＦＡＸ応答処理手順は、アナログ内線３１への着信に自動応答し、主制御部１０でスイッチ１４が制御されて、外線Ｉ／Ｆ部１２のＢ１チャネルと電話機制御部１７のアナログ内線３１とのパスが接続された後、主装置１０を介した網側からのＣＮＧ信号を検出する手順である。
【００３２】
主装置１０では、ファクシミリ装置３０への呼び出し後、このようなＦＡＸ応答処理手順による接続回線３５を介したファクシミリ装置３０からの着信、すなわち二次着信を検出するための二次着信検出ループに移行する（ステップ１０３，１０６）。
二次着信検出ループにおいて、呼出タイマがタイムアップする以前に接続回線Ｉ／Ｆ部１８で二次着信が検出された場合は（ステップ１０３：ＹＥＳ）、呼出タイマを停止し（ステップ１０４）、ファクシミリ装置３０のＦＡＸ応答処理手順に応じた後述の二次着呼処理を実行し（ステップ１０５）、一連の処理を終了する。
【００３３】
また、二次着信検出ループにおいて、二次着信が検出されずに呼出タイマがタイムアップした場合は（ステップ１０６：ＹＥＳ）、ファクシミリ装置３０でファクシミリ通信が開始されたものと判断して、ファクシミリ通信状態へ移行し（ステップ１０７）、一連の処理を終了する。
なお、ファクシミリ通信状態では、ファクシミリ装置３０によるアナログ内線３１の解放が電話機制御部１７で検出されるまで、すなわちファクシミリ通信が終了するまで、Ｂ１チャネルとアナログ内線３１とを接続するパスが維持される。そして、ファクシミリ通信の終了に応じて、ファクシミリ装置３０がアナログ内線３１を解放した時点で、そのパスが切断されるとともに、Ｂ１チャネルおよびアナログ内線３１が解放される。
【００３４】
以下では、第１の実施の形態として、第１のＦＡＸ応答処理手順を持つファクシミリ装置３０が主装置１０に接続されている場合について説明し、第２の実施の形態として、第２のＦＡＸ応答処理手順を持つファクシミリ装置３０が主装置１０に接続されている場合について説明する。なお、これらＦＡＸ応答処理手順の違いに対応するため、ファクシミリ装置３０がどちらのＦＡＸ応答処理手順を用いる装置であるかを、主装置１０の主記憶部１６に予め設定しておくものとする。
【００３５】
まず、本発明にかかる第１の実施の形態について説明する。
ファクシミリ装置３０が第１のＦＡＸ応答処理手順を用いる場合、主装置１０からの呼び出しに応じて、図４のようなＦＡＸ応答処理を実行する。図４はファクシミリ装置の第１のＦＡＸ応答処理手順を示すフローチャートである。
ファクシミリ装置３０の回線制御部３２は、主装置１０の電話機制御部１７からのアナログ内線３１を介した呼び出しに応じて、通話制御部３４を制御して、接続回線３５から主装置１０を呼び出す（ステップ２００）。
そして、この呼び出しすなわち二次着信に対するボタン電話機での応答操作に応じて、主装置１０の回線制御部３２が接続回線３５を捕捉した場合に（ステップ２０１：ＹＥＳ）、アナログ内線３１の着信呼び出しへ応答する（ステップ２０２）。
【００３６】
主装置１０の主制御部１５では、ファクシミリ装置３０の応答を電話機制御部１７で検出し、一次着信に対する応答メッセージを網側に送出する。そして、スイッチ１４を制御して、外線Ｉ／Ｆ部１２のＢ１チャネルと電話機制御部１７のアナログ内線３１とのパスを接続する。
これにより、主装置１０およびアナログ内線３１を介して網側とファクシミリ装置３０とが接続され、さらに接続回線３５を介して主装置１０（ボタン電話機）が接続される。
この後、ファクシミリ装置３０の回線制御部３２では、網側からのＣＮＧ信号の有無を判断する（ステップ２０３）。
【００３７】
ここで、応答から所定時間内にＣＮＧ信号が検出された場合は（ステップ２０３：ＹＥＳ）、その着信がファクシミリ通信呼であると判定し、接続回線３５を解放（終話）して、通信部３３によるファクシミリ通信を開始し（ステップ２０４）、一連の処理を終了する。
一方、応答から所定時間内にＣＮＧ信号が検出されなかった場合は（ステップ２０３：ＮＯ）、その着信が通話呼であると判定し、通話制御部３４および接続回線３５を介した主装置１０への回線接続経路を維持することにより、ファクシミリ装置３０経由の通話を開始し（ステップ２０５）、一連の処理を終了する。
【００３８】
このような第１のＦＡＸ応答処理手順を用いるファクシミリ装置３０が接続されている場合、主装置１０の主制御部１５では、ファクシミリ装置３０からの二次着信に応じて、図５のような二次着信処理を開始する。図５は第１の実施の形態にかかる二次着信処理を示すフローチャートである。
接続回線Ｉ／Ｆ部１８を介して二次着信が検出された場合、主制御部１５では、まず内線Ｉ／Ｆ部１３を介してボタン電話機２０Ａ〜２０Ｎへ「ＦＡＸランプ」２３Ａの点滅表示を指示する（ステップ１１０）。これにより、各ボタン電話機２０Ａ〜２０Ｎで、二次着信を知らせる着信表示が行われる。
【００３９】
この二次着信に対していずれかのボタン電話機で応答操作があった場合（ステップ１１１：ＹＥＳ）、主制御部１５では、接続回線Ｉ／Ｆ部１８を制御して接続回線３５を捕捉するとともに、スイッチ１４を制御して接続回線Ｉ／Ｆ部１８の接続回線３５と内線Ｉ／Ｆ部１３の応答ボタン電話機とのパスを接続する（ステップ１１２）。
これにより、この後のファクシミリ装置３０によるアナログ内線３１の捕捉に応じたＢ１チャネルとのパス接続を経て、応答ボタン電話機による、ファクシミリ装置３０および接続回線３５を介したＢ１チャネルでの外線通話が形成される。
【００４０】
これとともに、ボタン電話機２０Ａ〜２０Ｎへ「ＦＡＸランプ」２３Ａの点灯を指示し（ステップ１１３）、タイマ１５Ａを用いた切断タイマを起動する（ステップ１１４）。この切断タイマには、ファクシミリ装置３０でＣＮＧ信号の有無判断に要する十分な時間長が予め設定されており、この切断タイマにより、ＣＮＧ信号の有無判断に要する期間の経過が確認される。
この後、応答ボタン電話機によるファクシミリ装置３０を介した通話状態を制御するためのＦＡＸ経由通話処理が実行される（ステップ１１５）。
【００４１】
図６にＦＡＸ経由通話処理のフローチャートを示す。
主制御部１５では、ステップ１１６〜１１８からなる通話処理ループへ移行する。
この通話処理ループにおいて、切断タイマがタイムアップする以前に、その二次着信へ応答した応答ボタン電話機での終話が検出された場合は（ステップ１１６：ＹＥＳ）、応答した利用者が、例えば網側からのＣＮＧ信号を聴取して音声通話ではないこと、すなわちファクシミリ通信であることを確認して終話したと判断できる。
【００４２】
したがって、この場合は、切断タイマを停止し（ステップ１２０）、接続回線Ｉ／Ｆ部１８を制御して接続回線３５を解放するとともに（ステップ１２１）、スイッチ１４を制御して、接続回線３５と応答ボタン電話機とのパスを切断する（ステップ１２２）。
そして、ボタン電話機２０Ａ〜２０Ｎに対して、「ＦＡＸランプ」２３Ａの消灯を指示し（ステップ１２３）、主装置１０を介したファクシミリ装置３０によるファクシミリ通信状態へ移行して（ステップ１２４）、一連の処理を終了する。
【００４３】
通話処理ループにおいて、切断タイマがタイムアップする以前に接続回線３５の切断／終話が検出された場合は（ステップ１１７：ＹＥＳ）、ファクシミリ装置３０でファクシミリ通信であると判定されて接続回線３５が切断／終話されたと判断できる。したがって、上記と同様にステップ１２０へ移行する。
このとき、接続回線Ｉ／Ｆ部１８において、接続回線３５の切断／終話を検出する方法としては、ファクシミリ装置３０側からのビジートーン、無音、ファクシミリ装置３０側の回線解放に基づく接続回線３５の電圧／電流変化などを検出する方法がある。
【００４４】
また、通話処理ループにおいて、切断タイマのタイムアップが検出された場合は（ステップ１１８：ＹＥＳ）、ＣＮＧ信号の検出が終了している時点にもかかわらず接続回線３５が解放されないことから、ファクシミリ装置３０でファクシミリ通信ではなく通話であると判定されたと判断できる。
したがって、この場合には、スイッチ１４を制御して、内線Ｉ／Ｆ部１３の応答ボタン電話機へのパスを、接続回線Ｉ／Ｆ部１８の接続回線３５から外線Ｉ／Ｆ部１２のＢ１チャネルへ切替接続し（ステップ１２５）、ボタン電話機２０Ａ〜２０Ｎへ「外線１ランプ」２１Ａの点灯を指示する（ステップ１２６）。
【００４５】
また、電話機制御部１７のアナログ内線３１と外線Ｉ／Ｆ部１２のＢ１チャネルとのパスを切断するとともにアナログ内線３１を解放してファクシミリ装置３０を切断し（ステップ１２７）、ボタン電話機２０Ａ〜２０Ｎへ「ＦＡＸランプ」２３Ａの消灯を指示する（ステップ１２８）。
そして、応答ボタン電話機によるＢ１チャネルを用いた外線通話状態へ移行し（ステップ１２９）、一連の処理を終了する。
【００４６】
以上のように、第１の実施の形態では、接続回線３５への二次着信に応じた呼び出しに対してボタン電話機が応答した場合に切断タイマを起動し、そのタイムアップ以前にボタン電話機で終話された場合、あるいはファクシミリ装置３０側による接続回線３５での切断／終話が検出された場合には、その一次着信がファクシミリ通信呼であると判断して、ファクシミリ通信状態へ移行するようにした。
また、切断タイマのタイムアップに応じて、一次着信のあった電話回線からファクシミリ装置を切断し、その電話回線と応答ボタン電話機とを接続することにより、ファクシミリ装置を経由しない応答ボタン電話機による電話回線での通話へ移行するようにした。
【００４７】
したがって、アナログ内線３１での着信検出に応じて接続回線３５に接続された主装置１０を呼び出し、この呼び出しに対する応答検出に応じてＣＮＧ信号の検出を開始するという第１のＦＡＸ応答処理手順を持つファクシミリ装置を用いる場合であっても、新たな回路構成を追加することなく、ファクシミリ装置と間で電話回線を効率よく共用できるとともに、利用者がファクシミリ通信を意識することなく容易に利用でき、使い勝手のよいボタン電話装置を提供できる。
【００４８】
次に、本発明にかかる第２の実施の形態について説明する。
ファクシミリ装置３０が第２のＦＡＸ応答処理手順を用いる場合、主装置１０からの呼び出しに応じて、図７のようなＦＡＸ応答処理を実行する。図７はファクシミリ装置の第２のＦＡＸ応答処理手順を示すフローチャートである。
ファクシミリ装置３０の回線制御部３２は、主装置１０の電話機制御部１７からのアナログ内線３１を介した呼び出しに応じて自動応答する（ステップ２１０）。
【００４９】
主装置１０の主制御部１５では、ファクシミリ装置３０の応答を電話機制御部１７で検出し、応答メッセージを網側に送出した一次着信のあったＢ１チャネルへ応答する。そして、スイッチ１４を制御して、外線Ｉ／Ｆ部１２のＢ１チャネルと電話機制御部１７のアナログ内線３１とのパスを接続する。これにより、主装置１０およびアナログ内線３１を介して網側とファクシミリ装置３０とが接続される。
この後、ファクシミリ装置３０の回線制御部３２では、主装置１０を介した網側からのＣＮＧ信号の有無を判断する（ステップ２１１）。
【００５０】
ここで、応答から所定時間内にＣＮＧ信号が検出された場合は（ステップ２１１：ＹＥＳ）、その着信がファクシミリ通信呼であると判定し、通信部３３によるファクシミリ通信を開始し（ステップ２１２）、一連の処理を終了する。
一方、応答から所定時間内にＣＮＧ信号が検出されなかった場合は（ステップ２１１：ＮＯ）、その着信が通話呼であると判定し、通話制御部３４を制御して、接続回線３５から主装置１０を呼び出す（ステップ２１３）。そして、この呼び出しすなわち二次着信へのボタン電話機による応答操作により、主装置１０で接続回線３５が捕捉される。この捕捉に応じて（ステップ２１４：ＹＥＳ）、ファクシミリ装置３０経由の通話を開始し（ステップ２１５）、一連の処理を終了する。
【００５１】
このような第２のＦＡＸ応答処理手順を用いるファクシミリ装置３０が接続されている場合、主装置１０の主制御部１５では、ファクシミリ装置３０からの二次着信に応じて、図８のような二次着信処理を開始する。図８は第２の実施の形態にかかる二次着信処理を示すフローチャートである。
接続回線Ｉ／Ｆ部１８を介して二次着信が検出された場合、主制御部１５では、まず内線Ｉ／Ｆ部１３を介してボタン電話機２０Ａ〜２０ＮへＢ１チャネルに対応する「外線１ランプ」２１Ａの再点滅表示を指示する（ステップ１３０）。これにより、各ボタン電話機２０Ａ〜２０Ｎで、二次着信に代えて仮想的な一次着信を知らせる着信表示が行われる。
【００５２】
この仮想的一次着信に対していずれかのボタン電話機で応答操作があった場合（ステップ１３１：ＹＥＳ）、主制御部１５では、スイッチ１４を制御して、外線Ｉ／Ｆ部１２のＢ１チャネルと内線Ｉ／Ｆ部１３の応答ボタン電話機とのパスを接続し（ステップ１３２）、ボタン電話機２０Ａ〜２０Ｎへ「外線１ランプ」２１Ａの点灯を指示する（ステップ１３３）。
また、電話機制御部１７のアナログ内線３１と外線Ｉ／Ｆ部１２のＢ１チャネルとのパスを切断するとともに、アナログ内線３１を解放してファクシミリ装置３０を切断する（ステップ１３４）。
そして、応答ボタン電話機によるＢ１チャネルを用いた外線通話状態へ移行し（ステップ１３５）、一連の処理を終了する。
【００５３】
このように、第２の実施の形態では、接続回線３５への二次着信に応じた呼び出しに対してボタン電話機が応答した場合、接続回線３５およびファクシミリ装置３０を経由せず、一次着信のあった電話回線と応答ボタン電話機とを直接接続するようにした。
したがって、アナログ内線３１での着信検出に応じて自動応答してＣＮＧ信号の検出を開始し、ＣＮＧ信号が検出されなかった場合にのみ接続回線３５に接続された主装置１０を呼び出すという第２のＦＡＸ応答処理手順を持つファクシミリ装置を用いる場合であっても、新たな回路構成を追加することなく、ファクシミリ装置と間で電話回線を効率よく共用できる。
【００５４】
また、二次着信応答後は直ちにファクシミリ装置３０を解放でき、その後にファクシミリ通信のための着信があった場合や、ファクシミリ装置３０からの発呼要求があった場合にも柔軟に対応できる。
さらに、ファクシミリ装置３０からの二次着信であっても仮想的な一次着信と捉えて、「ＦＡＸランプ」２３Ａを点滅させず「外線１ランプ」２１Ａを再度点滅表示させるようにしたので、利用者がファクシミリ装置３０経由の二次着信を意識することなく容易に利用でき、ボタン電話装置の使い勝手がよくなる。
【００５５】
次に、図９を参照して、本発明にかかる第３の実施の形態について説明する。上記した第２の実施の形態では、ファクシミリ装置３０からの二次着信に応答した時点で、一次着信のあった電話回線と応答ボタン電話機とを直接接続するようにした場合について説明した。
本実施の形態では、これら電話回線と応答ボタン電話機とを直接接続せず、ファクシミリ装置３０および接続回線３５を介して通話を形成するようにした場合について説明する。
【００５６】
図９は第３の実施の形態にかかる二次着信処理を示すフローチャートである。接続回線Ｉ／Ｆ部１８を介して二次着信が検出された場合、主制御部１５では、まず内線Ｉ／Ｆ部１３を介してボタン電話機２０Ａ〜２０Ｎへ「ＦＡＸランプ」２３Ａの点滅表示を指示する（ステップ１４０）。
これにより、各ボタン電話機２０Ａ〜２０Ｎで、二次着信を知らせる着信表示が行われる。
【００５７】
この二次着信に対していずれかのボタン電話機で応答操作があった場合（ステップ１４１：ＹＥＳ）、主制御部１５では、スイッチ１４を制御して接続回線Ｉ／Ｆ部１８の接続回線３５と内線Ｉ／Ｆ部１３の応答ボタン電話機とのパスを接続する（ステップ１４２）。これにより、応答ボタン電話機による、ファクシミリ装置３０および接続回線３５を介したＢ１チャネルでの外線通話が形成される。
これとともに、ボタン電話機２０Ａ〜２０Ｎへ「ＦＡＸランプ」２３Ａの点灯を指示する（ステップ１４３）。これにより、応答ボタン電話機によるファクシミリ装置３０を介した通話状態を制御するためのＦＡＸ経由通話処理が実行される（ステップ１４４）。
【００５８】
図１０にＦＡＸ経由通話処理のフローチャートを示す。
主制御部１５では、ファクシミリ装置３０を経由した応答ボタン電話機による外線通話状態において、応答ボタン電話機での終話を検出した場合には（ステップ１５０：ＹＥＳ）、その応答ボタン電話機の通話終了後にファクシミリ通信を開始する可能性がある。
【００５９】
したがって、接続回線Ｉ／Ｆ部１８を制御して接続回線３５を解放するとともに（ステップ１５１）、スイッチ１４を制御して、接続回線Ｉ／Ｆ部１８の接続回線３５と内線Ｉ／Ｆ部１３の応答ボタン電話機とのパスを切断する（ステップ１５２）。
そして、ボタン電話機２０Ａ〜２０Ｎへ「ＦＡＸランプ」２３Ａの消灯を指示し（ステップ１５３）、主装置１０を介したファクシミリ装置３０によるファクシミリ通信状態へ移行し（ステップ１５４）、一連の処理を終了する。
【００６０】
このように、第３の実施の形態では、二次着信への応答に応じてファクシミリ装置３０経由で外線通話を形成し、その終話に応じて接続回線３５を解放してファクシミリ通信状態へ移行するようにした。
したがって、アナログ内線３１での着信検出に応じて自動応答してＣＮＧ信号の検出を開始し、ＣＮＧ信号が検出されなかった場合にのみ接続回線３５に接続された主装置１０を呼び出すという第２のＦＡＸ応答処理手順を持つファクシミリ装置を用いる場合であっても、新たな回路構成を追加することなく、ファクシミリ装置と間で電話回線を効率よく共用できる。
【００６１】
また、接続回線３５を解放することにより、一般的なファクシミリ装置３０が備える機能に従って、網側からのファクシミリ信号に応じてファクシミリ通信を開始できる。
なお、応答ボタン電話機での終話が、ファクシミリ通信を開始するための終話でない場合には、その後、網側からのファクシミリ信号を所定時間内に検出できなかったり、相手先終話によるビジートーンが検出された場合、ファクシミリ装置３０によりアナログ内線３１が解放される。
これにより、主制御部１５では、この解放を電話機制御部１７で検出し、切断・解放メッセージを網側へ送信してＢ１チャネルを解放するとともに、スイッチ１４を制御して外線Ｉ／Ｆ部１２のＢ１チャネルと電話機制御部１７のアナログ内線３１とのパスを切断する。
【００６２】
次に、図１１を参照して、本発明にかかる第４の実施の形態について説明する。  上記した第２の実施の形態では、ファクシミリ装置３０からの二次着信に応答した時点で、一次着信のあった電話回線と応答ボタン電話機とを直接接続し、ファクシミリ装置を切断するようにした場合について説明した。
本実施の形態では、二次着信が検出された時点でファクシミリ装置３０を切断するようにした場合について説明する。
【００６３】
図１１は第４の実施の形態にかかる二次着信処理を示すフローチャートである。
接続回線Ｉ／Ｆ部１８を介して二次着信が検出された場合、主制御部１５では、まず内線Ｉ／Ｆ部１３を介してボタン電話機２０Ａ〜２０ＮへＢ１チャネルに対応する「外線１ランプ」２１Ａの再点滅表示を指示する（ステップ１６０）。これにより、各ボタン電話機２０Ａ〜２０Ｎで、二次着信に代えて仮想的な一次着信を知らせる着信表示が行われる。
さらに、スイッチ１４を制御して外線Ｉ／Ｆ部１２のＢ１チャネルと電話機制御部１７のアナログ内線３１とのパス切断するとともに、そのＢ１チャネルを主装置１０で一時的に保持するとともに、電話回線にリングバックトーンや「呼び出し中です」の音声メッセージを送出し（ステップ１６１）、電話機制御部１７を制御してアナログ内線３１を解放してファクシミリ装置３０を切断する（ステップ１６２）。
【００６４】
この後、仮想的一次着信に対していずれかのボタン電話機で応答操作があった場合（ステップ１６３：ＹＥＳ）、主制御部１５では、スイッチ１４を制御して、外線Ｉ／Ｆ部１２のＢ１チャネルと内線Ｉ／Ｆ部１３の応答ボタン電話機とのパスを接続し（ステップ１６４）、ボタン電話機２０Ａ〜２０Ｎへ「外線１ランプ」２１Ａの点灯を指示する（ステップ１６５）。
そして、応答ボタン電話機によるＢ１チャネルを用いた外線通話状態へ移行し（ステップ１６６）、一連の処理を終了する。
【００６５】
このように、第４の実施の形態では、二次着信の検出に応じて、一次着信のあった電話回線を主装置１０で保持するとともに、ファクシミリ装置３０を切断するようにした。
したがって、アナログ内線３１での着信検出に応じて自動応答してＣＮＧ信号の検出を開始し、ＣＮＧ信号が検出されなかった場合にのみ接続回線３５に接続された主装置１０を呼び出すという第２のＦＡＸ応答処理手順を持つファクシミリ装置を用いる場合であっても、新たな回路構成を追加することなく、ファクシミリ装置と間で電話回線を効率よく共用できる。
また、第２の実施の形態と比較して、より早期にファクシミリ装置３０が使用可能な状態とすることができる。
【００６６】
次に、図１２を参照して、本発明の第５の実施の形態について説明する。
上記した第３の実施の形態のように、ファクシミリ装置３０経由で外線通話を行っている場合には、ボタン電話機で終話することにより、ファクシミリ通信へ移行できる。
本実施の形態では、ボタン電話機が接続回線３５およびファクシミリ装置３０を経由せずに外線通話を行っている状態で、ファクシミリ通信へ移行する場合について説明する。
【００６７】
図１２は通話状態からファクシミリ通信へ移行する際のＦＡＸ転送処理を示すフローチャートである。
ボタン電話機がファクシミリ装置３０を経由せずに、例えばＢ１チャネルで外線通話を行っている状態で、そのボタン電話機において「転送ボタン」２６が押下された場合、主制御部１５では、図１２に示すＦＡＸ転送処理を開始する。
まず、ＦＡＸ転送処理中であることを主記憶部１６へ記憶し、タイマ１５Ａを用いて転送タイマを起動する（ステップ１７０）。この転送タイマは、ＦＡＸ転送処理の時間管理を行うためのものである。
【００６８】
続いて、当該ボタン電話機による終話を確認した後（ステップ１７１：ＹＥＳ）、外線Ｉ／Ｆ部１２を制御して外線通話していたＢ１チャネルを主装置１０で保持し（ステップ１７２）、スイッチ１４を制御して外線Ｉ／Ｆ部１２のＢ１チャネルと内線Ｉ／Ｆ部１３の当該ボタン電話機とのパスを切断する（ステップ１７３）。
そして、内線Ｉ／Ｆ部１３を介してボタン電話機２０Ａ〜２０Ｎへ、そのＢ１チャネルに対応する「外線１ランプ」２１Ａの点滅指示を行い（ステップ１７４）、電話機制御部１７からファクシミリ装置３０を着信呼び出しする（ステップ１７５）。
【００６９】
続いて、主制御部１５では、ファクシミリ装置３０からの二次着信を検出する二次着信検出ループへ移行する（ステップ１７６，１７７）。
二次着信検出ループにおいて、転送タイマがタイムアップする以前に接続回線Ｉ／Ｆ部１８で二次着信が検出された場合は（ステップ１７６：ＹＥＳ）、転送タイマを停止して（ステップ１８０）、前述のような二次着呼処理を実行せず、その二次着信を無視する（ステップ１８１）。
そして、ファクシミリ通信状態へ移行し（ステップ１８２）、一連の処理を終了する。
【００７０】
また、二次着信検出ループにおいて、二次着信が検出されず、転送タイマがタイムアップした場合は（ステップ１７７：ＹＥＳ）、ファクシミリ装置３０でファクシミリ通信が開始されたものと判断して、ファクシミリ通信状態へ移行し（ステップ１８２）、一連の処理を終了する。
【００７１】
このように、第５の実施の形態では、ボタン電話機がファクシミリ装置３０を経由せずに外線通話を行っている状態で、ファクシミリ通信への移行が要求された場合には、ファクシミリ装置３０を主装置１０から着信呼び出しするとともに、その後のファクシミリ装置３０からの二次着信を無視するようにした。
したがって、ボタン電話機がファクシミリ装置を経由せずに外線通話をしている状態から、ファクシミリ通信を開始する場合であっても、利用者に誤解を与えることなくスムーズな呼切替制御を行うことができる。
【００７２】
以上の説明では、電話回線としてＩＳＤＮ回線を用いた場合を例として説明したが、これに限定されるものではなく、アナログ電話回線であっても本発明を適用でき、前述と同様の作用効果が得られる。
また、上記Ｂ１，Ｂ２チャネルのように、複数の電話回線が主装置１０に接続されている必要はなく、１本の電話回線しか接続されていない場合でも、本発明を適用でき、前述と同様の作用効果が得られる。
【００７３】
また、主装置１０の電話機制御部１７からファクシミリ装置３０へ着信呼び出ししている期間は、ボタン電話機からの発信操作を無効とするようにしてもよい。これにより、その一次着信をファクシミリ装置３０に優先して制御させることができる。
さらに、一次着信処理（図３）のステップ１０１では、一次着信の検出に応じて、着信外線ランプを点滅制御する場合について説明したが、これに代えて着信外線ランプを点灯制御するようにしてもよい。これにより、一次着信のあった電話回線が使用中であり利用できないことを各ボタン電話機の利用者へ視覚的に知らせることができる。これにより、その一次着信をファクシミリ装置３０に優先して制御させることができる。
【００７４】
外線ランプの点灯／点滅制御については、そのときの動作状態や接続状態に合わせて、詳細に制御するようにしてもよい。
例えば、主装置１０の電話機制御部１７からファクシミリ装置３０を着信呼び出す際に、ＦＡＸランプを点滅させてもよい。これにより、各ボタン電話機の利用者に対してファクシミリ装置３０の呼び出し中であることを通知できる。さらに、接続回線３５への二次着信に応じてボタン電話機を呼び出す際に、対応する一次着信のあった外線の外線ランプを点滅させてもよい。これにより各ボタン電話機の利用者に対して、どの外線に関係する呼び出しかを通知できる。
【００７５】
また、ファクシミリ装置３０が通信状態にある際には、対応する一次着信のあった外線の外線ランプとともにＦＡＸランプを点灯させてもよい。これにより、各ボタン電話機の利用者に対して、ファクシミリ通信中であることを通知できる。さらに、ファクシミリ装置３０を呼び出し中に、その二次着信に応じてボタン電話機を呼び出す場合は、対応する一次着信のあった外線ランプとともにＦＡＸランプを点滅させてもよい。これにより、各ボタン電話機の利用者に対して、ファクシミリ装置を介した二次着信と、それに対応する外線とを通知できる。
【００７６】
以上では、ボタン電話装置を例として説明したが、本発明の各実施の形態については、ファクシミリ装置を内線収容する交換機にも適用できる。一般に、交換機では、アナログ内線を介して単独電話機、ボタン電話機あるいはファクシミリ装置を、上記図１の電話機制御部１７に相当するアナログ電話機Ｉ／Ｆ部を介して内線収容している。また、アナログ外線用の外線Ｉ／Ｆ部も設けられている。したがって、内線収容したファクシミリ装置からの接続回線を、上記図１の接続回線Ｉ／Ｆ部１８に相当するアナログ外線用の外線Ｉ／Ｆ部へ収容すればよい。これにより、上記各実施の形態と同様の作用効果が得られる。
【００７７】
【発明の効果】
以上説明したように、本発明は、主装置に、ファクシミリ装置への着信がファクシミリ通信呼以外の場合にそのファクシミリ装置を経由して外付けの電話機で通話を行うために用いる接続回線を収容する接続回線インターフェース部と、電話回線および接続回線のいずれかとボタン電話機およびファクシミリ装置のいずれかとの間を任意に交換接続するスイッチと、このスイッチを制御することにより、ファクシミリ装置での電話回線を用いたファクシミリ通信とボタン電話機での電話回線を用いた通話とをそれぞれ形成する制御部とを設け、制御部により、電話回線のうち所定電話回線への一次着信に応じてファクシミリ装置を呼び出すことにより、そのファクシミリ装置により一次着信に対するファクシミリ通信であるか否かを判定させ、その判定結果をファクシミリ装置から二次着信のある接続回線の状態に基づき検出し、その検出結果に応じてスイッチを制御するようにしたものである。
したがって、新たな回路構成を追加することなく、ファクシミリ装置と間で電話回線を効率よく共用できるとともに、利用者がファクシミリ通信を意識することなく容易に利用でき、使い勝手のよいボタン電話装置を提供できる。
【図面の簡単な説明】
【図１】  本発明の一実施の形態によるボタン電話装置のブロック図である。
【図２】  ボタン電話機の外観図である。
【図３】  一次着信処理を示すフローチャートである。
【図４】  第１のＦＡＸ応答処理を示すフローチャートである。
【図５】  第１の実施の形態にかかる二次着信処理を示すフローチャートである。
【図６】  第１の実施の形態にかかるＦＡＸ経由通話処理を示すフローチャートである。
【図７】  第２のＦＡＸ応答処理を示すフローチャートである。
【図８】  第２の実施の形態にかかる二次着信処理を示すフローチャートである。
【図９】  第３の実施の形態にかかる二次着信処理を示すフローチャートである。
【図１０】  第３の実施の形態にかかるＦＡＸ経由通話処理を示すフローチャートである。
【図１１】  第４の実施の形態にかかる二次着信処理を示すフローチャートである。
【図１２】  第５の実施の形態にかかるＦＡＸ転送処理を示すフローチャートである。
【符号の説明】
１０…主装置、１１…電話回線、１２…外線Ｉ／Ｆ部、１３…内線Ｉ／Ｆ部、１４…スイッチ、１５…主制御部、１５Ａ…タイマ、１６…主記憶部、１７…電話機制御部、１８…接続回線Ｉ／Ｆ部、２０…内線伝送路、２０Ａ〜２０Ｎ…ボタン電話機、２１…外線１ボタン、２１Ａ…外線１ランプ、２２…外線２ボタン、２２Ａ…外線２ランプ、２３…ＦＡＸボタン、２３Ａ…ＦＡＸランプ、２６…転送ボタン、３１…アナログ内線、３２…回線制御部、３３…通信部、３４…通話制御部、３５…接続回線。
【図１】
0003654178.tif 000002
【図２】
0003654178.tif 000003
【図３】
0003654178.tif 000004
【図４】
0003654178.tif 000005
【図５】
0003654178.tif 000006
【図６】
0003654178.tif 000007
【図７】
0003654178.tif 000008
【図８】
0003654178.tif 000009
【図９】
0003654178.tif 000010
【図１０】
0003654178.tif 000011
【図１１】
0003654178.tif 000012
【図１２】
0003654178.tif 000013